(57)【要約】【課題】ユーザの状況に応じた特定機能の利用可否制御を実現する。【解決手段】携帯電話端末装置１ａにおいて、設備の状態変動を検出する検出部１００と、検出部１００の検出結果に応じて、特定機能にかかる処理を実施する処理部１０１と、を具備することを特徴とする。一例として、上記の携帯電話端末装置１ａにおいて、この特定機能は自動着信機能であり、この特定機能にかかる処理とは自動着信モードを設定し又は解除する処理である。【選択図】図３
2009200998.tif 000002
【特許請求の範囲】
【請求項１】
外部設備からの状態変動を検出する検出手段と、
前記検出手段の検出結果に応じて、特定機能にかかる処理を実施する処理手段と、
を具備することを特徴とする携帯電話端末装置。
【請求項２】
請求項１に記載の携帯電話端末装置において、
前記特定機能は自動着信機能であり、
前記特定機能にかかる処理は、自動着信モードを設定し又は解除する処理である、
ことを特徴とする携帯電話端末装置。
【請求項３】
請求項２に記載の携帯電話端末装置において、
前記外部設備はクレードルであり、
前記検出手段は、前記クレードルからの状態変動であって当該携帯電話端末装置が置かれているか否かの状態の変動を検出し、
前記処理手段は、前記クレードルの状態が当該携帯電話端末装置が置かれた状態となった場合に自動着信モードを設定し、前記クレードルの状態が当該携帯電話端末装置が置かれていない状態となった場合に自動着信モードを解除する、
ことを特徴とする携帯電話端末装置。
【請求項４】
請求項３に記載の携帯電話端末装置において、
前記クレードルから所定信号の入力を受け付ける所定信号入力受付手段、
を具備し、
前記検出手段は、前記所定信号入力受付手段による前記所定信号の受け付けの有無に基づき、前記クレードルの状態の、当該携帯電話端末装置が置かれた状態と置かれていない状態の間での変動を検出する、
ことを特徴とする携帯電話端末装置。
【請求項５】
請求項４に記載の携帯電話端末装置において、
前記所定信号には前記クレードルの固有情報が含まれ、
当該携帯電話端末装置は、
１又は複数のクレードルそれぞれの固有情報を記憶する固有情報記憶手段、
を具備し、
前記所定信号入力受付手段は、前記所定信号に前記固有情報記憶手段に記憶される固有情報が含まれるか否かを判定し、判定結果に応じて該所定信号の入力を受け付ける、
ことを特徴とする携帯電話端末装置。
【請求項６】
請求項５に記載の携帯電話端末装置において、
前記固有情報記憶手段は、前記各固有情報それぞれと関連付けて、自動着信を許容する発信者情報を１又は複数記憶し、
当該携帯電話端末装置は、
着信時に、発信者情報を取得する発信者情報取得手段と、
当該携帯電話端末装置が置かれているクレードルの固有情報を取得する固有情報取得手段と、
前記発信者情報取得手段により取得された発信者情報が前記固有情報取得手段により取得される固有情報と関連付けて前記固有情報記憶手段に記憶される発信者情報のうちの１つと一致する場合に自動着信を行い、一致しない場合に自動着信を行わない自動着信処理手段と、
を具備する、
ことを特徴とする携帯電話端末装置。
【請求項７】
請求項５又は６に記載の携帯電話端末装置において、
前記固有情報ごとに、前記特定機能にかかる処理を示す特定機能処理情報と、前記設備の状態変動を示す設備情報と、を対応付けて記憶する特定機能処理情報記憶手段、
を具備し、
前記処理手段は、前記状態変動が前記検出手段により検出された場合に、前記所定信号入力受付手段により受け付けられた固有情報について、該状態変動を示す前記設備情報と対応付けて記憶される前記特定機能処理情報により示される処理を実施する、
ことを特徴とする携帯電話端末装置。
【請求項８】
請求項３に記載の携帯電話端末装置において、
当該携帯電話端末装置が前記クレードルに置かれた場合にオンとなり、置かれていない場合にオフとなるスイッチ手段、
を具備し、
前記検出手段は、前記スイッチ手段のオン／オフ状態に基づき、前記クレードルの状態の、当該携帯電話端末装置が置かれた状態と置かれていない状態の間での変動を検出する、
ことを特徴とする携帯電話端末装置。
【請求項９】
請求項２から８までのいずれか一項に記載の携帯電話端末装置において、
自動着信モードが設定されているか否かに応じて受話音声を出力する音量を変化させる機能、又は自動着信モードが設定されているか否かに応じて受話音声を出力するための複数のスピーカからいずれかを選択的に有効にする機能、の少なくともいずれか一方を有する出力制御手段、
を具備することを特徴とする携帯電話端末装置。
【請求項１０】
請求項１に記載の携帯電話端末装置において、
前記特定機能は自動着信機能であり、
前記特定機能にかかる処理は、自動着信モードを一時的に解除する処理であり、
前記処理手段は、前記検出手段の検出結果に応じて自動着信モードを一時的に解除した場合、所定時間後に、自動着信モードの設定を行う、
ことを特徴とする携帯電話端末装置。
【請求項１１】
請求項１から６まで、８、又は１０のいずれか１項に記載の携帯電話端末装置において、
自動着信を許容する発信者情報を１又は複数記憶する発信者情報記憶手段と、
着信時に、発信者情報を取得する発信者情報取得手段と、
前記発信者情報取得手段により取得された発信者情報が前記発信者記憶手段に記憶される発信者情報と一致する場合に自動着信を行い、一致しない場合に自動着信を行わない自動着信処理手段と、
を具備することを特徴とする携帯電話端末装置。
【請求項１２】
請求項１から１１までのいずれか１項に記載の携帯電話端末装置において、
自動着信モードにおいて自動着信を行おうとする場合に、発信者電話に対して当該携帯電話端末装置において自動着信が行われる旨を示す自動着信実施確認情報を送信する自動着信実施確認情報送信手段と、
前記発信者電話から、自動着信を許容するか否かを示す自動着信許否情報を受信する自動着信許否情報受信手段と、
前記自動着信許否情報受信手段により受信された自動着信許否情報に応じて、自動着信の実施制御を行う自動着信実施制御手段と、
を具備することを特徴とする携帯電話端末装置。
【請求項１３】
携帯電話端末装置の卓上設置台として機能するクレードルであって、
前記携帯電話端末装置が当該クレードルに設置されていることを検出する検出手段と、
当該クレードルの固有情報を記憶する固有情報記憶手段と、
前記検出手段の検出結果に応じて、当該クレードルに設置されている前記携帯電話端末装置に対し、前記記憶手段に記憶される前記固有情報を含む信号を送信する送信手段と、
を具備することを特徴とするクレードル。
【請求項１４】
請求項１３に記載のクレードルにおいて、
ユーザによる自動着信可否の切り替えを受け付けるためのスイッチ手段、
を備え、
前記送信手段は、前記スイッチ手段の状態に応じて、前記信号を送信する、
ことを特徴とするクレードル。
【請求項１５】
携帯電話端末装置において、特定機能にかかる処理を実施するための特定機能処理実施方法であって、
設備の状態変動を検出する検出ステップと、
前記検出手段の検出結果に応じて、特定機能にかかる処理を実施する処理ステップと、
を具備することを特徴とする特定機能処理実施方法。
【請求項１６】
設備の状態変動を検出する検出手段、及び
前記検出手段の検出結果に応じて、特定機能にかかる処理を実施する処理手段、
としてコンピュータを機能させるためのプログラム。
【発明の詳細な説明】
【技術分野】
【０００１】
本発明は、携帯電話端末装置、クレードル、特定機能処理実施方法、及びプログラムに関する。
【背景技術】
【０００２】
電話では自動着信と呼ばれる着信形態が用いられることがある（例えば特許文献１参照）。この自動着信では、着側の電話機は、着信があった場合に着信操作の有無に依らず自動的に着信し、通話モードに移行する。なお、この場合の通話モードは、受話器を持たずに話せるハンズフリー通話モードとなるのが通常である。
【特許文献１】特開２００４−２３１８５号公報
【発明の開示】
【発明が解決しようとする課題】
【０００３】
しかしながら、自動着信を行う電話機は、着側のユーザの状況に関係なく通話モードに移行してしまう。例えば、トイレに入っている最中等、着側のユーザが電話に出たくない場合であっても、自動着信機能をオフにしない限り通話モードに移行してしまう。このため、自動着信は携帯電話向け用途ではあまり普及しておらず、主として企業向けのテレビ会議システムなどで利用されている。
【０００４】
ユーザの状況に関係なく特定の機能が開始されてしまうという事情は、自動着信以外の機能においても同様である。例えば、ユーザの状況によっては、留守番電話を利用したい場合とそうでない場合とがあり得る。また、近年、テレビやエアコンのリモコンとしての機能を備える携帯電話があるが、ユーザの状況によっては、リモコンとして使用したい場合とそうでない場合とがあり得る。しかしながら従来、ユーザの状況によって、特定機能の利用可否を制御することはできなかった。
【０００５】
従って、本発明の課題の一つは、ユーザの状況に応じた特定機能の利用可否制御を実現できる携帯電話端末装置、クレードル、特定機能処理実施方法、及びプログラムを提供することにある。
【課題を解決するための手段】
【０００６】
（１）上記課題を解決するための本発明にかかる携帯電話端末装置は、外部設備からの状態変動を検出する検出手段と、前記検出手段の検出結果に応じて、特定機能にかかる処理を実施する処理手段と、を具備することを特徴とする。
携帯電話端末装置が外部設備から検出する状態変動（例えば、クレードルにおいて当該携帯電話端末装置が置かれた状態と置かれていない状態の間の状態変動、洗濯機の回転状態の状態変動、トイレのドアの開状態と閉状態の間の状態変動、等）は、ユーザの状態変動、すなわちユーザの状況を示している。この状態変動は、外部設備からの電気的信号の有無や信号内容、外部設備からの電力供給の有無、あるいは外部設備の機械的状態の変化などにより検出可能である。従って、上記携帯電話端末装置のように、設備の状態変動の検出結果に応じて特定機能にかかる処理（例えば自動着信モードの設定や解除）を行うことで、ユーザの状況に応じた特定機能の利用可否制御を実現できる。
【０００７】
（２）また、上記携帯電話端末装置において、前記特定機能は自動着信機能であり、前記特定機能にかかる処理は、自動着信モードを設定し又は解除する処理である、こととしてもよい。
【０００８】
（３）また、上記携帯電話端末装置において、前記外部設備はクレードルであり、前記検出手段は、前記クレードルからの状態変動であって当該携帯電話端末装置が置かれているか否かの状態と置かれていない状態の変動を検出し、前記処理手段は、前記クレードルの状態が当該携帯電話端末装置が置かれた状態となった場合に自動着信モードを設定し、前記クレードルの状態が当該携帯電話端末装置が置かれていない状態となった場合に自動着信モードを解除する、こととしてもよい。
【０００９】
（４）また、上記携帯電話端末装置において、前記クレードルから所定信号の入力を受け付ける所定信号入力受付手段、を具備し、前記検出手段は、前記所定信号入力受付手段による前記所定信号の受け付けの有無に基づき、前記クレードルの状態の、当該携帯電話端末装置が置かれた状態と置かれていない状態の間での変動を検出する、こととしてもよい。
【００１０】
（５）また、上記携帯電話端末装置において、前記所定信号には前記クレードルの固有情報が含まれ、当該携帯電話端末装置は、１又は複数のクレードルそれぞれの固有情報を記憶する固有情報記憶手段、を具備し、前記所定信号入力受付手段は、前記所定信号に前記固有情報記憶手段に記憶される固有情報が含まれるか否かを判定し、判定結果に応じて該所定信号の入力を受け付ける、こととしてもよい。
【００１１】
（６）また、上記携帯電話端末装置において、前記固有情報記憶手段は、前記各固有情報それぞれと関連付けて、自動着信を許容する発信者情報を１又は複数記憶し、当該携帯電話端末装置は、着信時に、発信者情報を取得する発信者情報取得手段と、当該携帯電話端末装置が置かれているクレードルの固有情報を取得する固有情報取得手段と、前記発信者情報取得手段により取得された発信者情報が前記固有情報取得手段により取得される固有情報と関連付けて前記固有情報記憶手段に記憶される発信者情報のうちの１つと一致する場合に自動着信を行い、一致しない場合に自動着信を行わない自動着信処理手段と、を具備する、こととしてもよい。
【００１２】
（７）また、上記各携帯電話端末装置において、前記固有情報ごとに、前記特定機能にかかる処理を示す特定機能処理情報と、前記設備の状態変動を示す設備情報と、を対応付けて記憶する特定機能処理情報記憶手段、を具備し、前記処理手段は、前記状態変動が前記検出手段により検出された場合に、前記所定信号入力受付手段により受け付けられた固有情報について、該状態変動を示す前記設備情報と対応付けて記憶される前記特定機能処理情報により示される処理を実施する、こととしてもよい。
【００１３】
（８）また、上記携帯電話端末装置において、当該携帯電話端末装置が前記クレードルに置かれた場合にオンとなり、置かれていない場合にオフとなるスイッチ手段、を具備し、前記検出手段は、前記スイッチ手段のオン／オフ状態に基づき、前記クレードルの状態の、当該携帯電話端末装置が置かれた状態と置かれていない状態の間での変動を検出する、こととしてもよい。
【００１４】
（９）また、上記携帯端末装置において、自動着信モードが設定されているか否かに応じて受話音声を出力する音量を変化させる機能、又は自動着信モードが設定されているか否かに応じて受話音声を出力するための複数のスピーカからいずれかを選択的に有効にする機能、の少なくともいずれか一方を有する出力制御手段を具備することとしても良い。
【００１５】
（１０）また、上記携帯電話端末装置において、前記特定機能は自動着信機能であり、前記特定機能にかかる処理は、自動着信モードを一時的に解除する処理であり、前記処理手段は、前記検出手段の検出結果に応じて自動着信モードを一時的に解除した場合、所定時間後に、自動着信モードの設定を行う、こととしてもよい。
【００１６】
（１１）また、上記各携帯電話端末装置において、自動着信を許容する発信者情報を１又は複数記憶する発信者情報記憶手段と、着信時に、発信者情報を取得する発信者情報取得手段と、前記発信者情報取得手段により取得された発信者情報が前記発信者記憶手段に記憶される発信者情報と一致する場合に自動着信を行い、一致しない場合に自動着信を行わない自動着信処理手段と、を具備することとしてもよい。
【００１７】
（１２）また、上記各携帯電話端末装置において、自動着信モードにおいて自動着信を行おうとする場合に、発信者電話に対して当該携帯電話端末装置において自動着信が行われる旨を示す自動着信実施確認情報を送信する自動着信実施確認情報送信手段と、前記発信者電話から、自動着信を許容するか否かを示す自動着信許否情報を受信する自動着信許否情報受信手段と、前記自動着信許否情報受信手段により受信された自動着信許否情報に応じて、自動着信の実施制御を行う自動着信実施制御手段と、を具備することとしてもよい。
前記自動着信実施確認情報送信手段は、検出手段の検出結果に応じて、特定機能にかかる処理を実施する処理手段を具備した携帯電話端末に限定されるものではない。つまり、特定のクレードルに特定の携帯端末を載せたときだけに限定されるものではなく、一般的な携帯電話の機能として自動着信実施確認情報送信手段を設けることも可能である。
【００１８】
（１３）また、本発明にかかるクレードルは、携帯電話端末装置の卓上設置台として機能するクレードルであって、前記携帯電話端末装置が当該クレードルに設置されていることを検出する検出手段と、当該クレードルの固有情報を記憶する固有情報記憶手段と、前記検出手段の検出結果に応じて、当該クレードルに設置されている前記携帯電話端末装置に対し、前記記憶手段に記憶される前記固有情報を含む信号を送信する送信手段と、を具備することを特徴とする。
【００１９】
（１４）また、上記クレードルにおいて、ユーザによる自動着信可否の切り替えを受け付けるためのスイッチ手段、を備え、前記送信手段は、前記スイッチ手段の状態に応じて、前記信号を送信する、こととしてもよい。
【００２０】
（１５）また、本発明にかかる特定機能処理実施方法は、携帯電話端末装置において、特定機能にかかる処理を実施するための特定機能処理実施方法であって、設備の状態変動を検出する検出ステップと、前記検出手段の検出結果に応じて、特定機能にかかる処理を実施する処理ステップと、を具備することを特徴とする。
【００２１】
（１６）また、本発明にかかるプログラムは、設備の状態変動を検出する検出手段、及び前記検出手段の検出結果に応じて、特定機能にかかる処理を実施する処理手段、としてコンピュータを機能させるためのプログラムである。
【発明を実施するための最良の形態】
【００２２】
以下、本発明の実施の形態について、図面を参照しながら説明する。
まず、本実施形態にかかる携帯電話端末装置１のシステム構成から説明する。図１は、携帯電話端末装置１の全体のシステム構成を示す概略ブロック図である。携帯電話端末装置１は、図１に示すように、主制御部１０、通信制御部１１、無線部１２、プログラムメモリ１３、操作部１４、主カメラ１５、主表示部１６、副表示部１７、振動センサー１８、ＧＰＳ(Global Positioning System)機能部１９、音声処理部２０、マイク２１、スピーカ２２−１及び２、ＲＦＩＤ(Radio Frequency IDentification)リーダー２３、電源制御部２４、電池２５、クレードル接続部２６、大容量メモリ２７、メモリ２８、インジケータ２９、Ｉｒ(Infrared ray)受信部３０、Ｉｒ送信部３１、近距離通信部３２を構成要素として具備して構成される。
【００２３】
図１に示すように、携帯電話端末装置１では、主制御部１０以外の各構成要素が主制御部１０に対し直接又は間接的に接続されている。主制御部１０は、各構成要素によって行われる処理の制御や、各構成要素に対する信号の入出力を行う。主制御部１０以外の各構成要素は、携帯電話端末装置１の各種機能にかかる処理を行う。以下、携帯電話端末装置１の各構成要素について詳細に説明する。
【００２４】
無線部１２はアンテナを備え、携帯電話網（ＰＤＣ網、ＣＤＭＡ２０００網、フェムトセルを利用した移動通信網など）の無線通信規格に従う無線通信を行う。すなわち、無線部１２は、主制御部１０から、主カメラ１５で撮影される画像や、マイク２１で収音される音声等の入力を受け、入力された画像や音声等に、所定の変調方式による変調処理、無線周波数帯への周波数変換処理、及び増幅処理の各処理を施し、無線信号としてアンテナから無線区間に送出する。また、アンテナに到来した無線信号に、所定の変調方式による復調処理、ベースバンド周波数帯への周波数変換処理、及び増幅処理の各処理を施し、画像や音声等として主制御部１０に出力する。なお、例えば、携帯電話端末装置１が携帯電話網を用いた無線通信と無線ＬＡＮを用いた無線通信の両方を行う場合、通信制御部と無線部の組み合わせが２つ備えられる。
【００２５】
通信制御部１１は、無線部１２を用いて行う無線通信の通信制御を行う。具体的な例としては、シーケンス制御や再送制御が挙げられる。通信制御部１１は、自動着信制御を含む着信制御も行う（詳細は後述する。）。
【００２６】
プログラムメモリ１３は、携帯電話端末装置１の種々の機能にかかる各種ソフトウェアを格納する記憶手段である。携帯電話端末装置１のＣＰＵ（図示せず）は、このプログラムメモリ１３に記憶されるソフトウェアを読み出し、該ソフトウェアに従う処理を行う。
【００２７】
操作部１４は、ユーザによる各種指示の入力を受け付け、主制御部１０に出力するものであり、例えば、文字や数値などのデータを入力するための各種キーを具備するキーボードやタッチパネル等である。
【００２８】
主カメラ１５は撮影手段として機能するものであり、光学系、撮像部、及び映像信号処理部を備えている。光学系は、外部の光を取り入れ、撮像部に出力する。撮像部はＣＣＤ(Charge Coupled Device)を備え、入力された光の明暗に比例した電流を発生し、映像信号処理部に出力する。映像信号処理部は、撮像部から入力された電流をデジタルデータに変換するとともに、所定の画像処理を施して主制御部１０に出力する。
【００２９】
主表示部１６及び副表示部１７は、主制御部１０から入力される各種画像を表示する表示手段であり、例えば液晶ディスプレイである。携帯電話端末装置１が折り畳み式の携帯電話である場合、主表示部１６は内側の液晶ディスプレイ、副表示部１７は外側の液晶ディスプレイである。
【００３０】
振動センサー１８は、携帯電話端末装置１が受けた振動を検知し、振動の強さに対応する振幅の電気信号を主制御部１０に出力する。
ＧＰＳ機能部１９はＧＰＳアンテナを備え、複数のＧＰＳ衛星からそれぞれ発射された時刻信号電波の到達時間の差に基づき、当該携帯電話端末装置１の現在の位置情報（緯度経度情報）を取得する。そして、取得した位置情報を、主制御部１０を介してメモリ２８に記憶させる。
【００３１】
音声処理部２０は、マイク２１が採取した周囲音を取得し、ノイズを除去して主制御部１０へ伝達する。また、音声処理部２０は、メモリ２８や大容量メモリ２７が記憶している音声データや無線部１２を介して他の電話から受信される音声データを、スピーカ２２−１又はスピーカ２２−２を介して出力する。
【００３２】
ここで、スピーカ２２−１は、ハンズフリー通話用に用いられるものである。すなわち、スピーカ２２−１は、携帯電話端末装置１から離れた位置にいても十分聴くことのできる程度の音量で、音を出力する。一方、スピーカ２２−２は、受話器用に用いられるものである。すなわち、スピーカ２２−２は、利用者が当該携帯電話端末装置１を持って耳に当てたときに聞こえやすい位置に設置されており、スピーカ２２−１に比べると小さな音量で音を出力する。但し、携帯電話端末装置１から離れた位置でも充分に聴くことのできる程度にスピーカ２２−２からの出力音量を大きくすることも可能となっている。これらの出力音量の調整は、後述するように、音量制御部１１１７が音声処理部２０を制御することにより行う。
【００３３】
ＲＦＩＤリーダー２３は、無線ＩＣチップであるＲＦＩＤ（図示せず）に書き込まれたデータを読み取る。このＲＦＩＤは街中等に多数貼られており、それぞれ貼られた場所を示す位置情報を記憶している。ＲＦＩＤリーダー２３は、このようなＲＦＩＤに書き込まれたデータを読み取ることにより、当該携帯電話端末装置１の現在の位置情報を取得する。そして、主制御部１０を介して、取得した位置情報をメモリ２８に記憶させる。
【００３４】
電池２５は充電池（二次電池）又は乾電池（一次電池）などであり、直流電力を電源制御部２４に供給する。また、クレードル接続部２６はクレードル（外部設備）と接続され、該クレードルから直流電力の入力を受け付け、電源制御部２４に供給する。電源制御部２４は、電池２５又はクレードル接続部２６から供給される直流電力を主制御部１０へ供給する。なお、電源制御部２４は、クレードル接続部２６から直流電力が供給されている場合には、クレードル接続部２６から供給された直流電力を主制御部１０へ供給し、電池２５から供給される直流電力は主制御部１０へ供給しない。これにより、クレードル接続部２６から直流電力が供給されている場合、電池２５は消費されないことになる。
【００３５】
なお、クレードル接続部２６は、クレードルとの間で音声信号や制御信号を送受信可能に構成されており、主制御部１０は、クレードル接続部２６を介して、クレードルとの間で音声信号や制御信号を受信する。
【００３６】
ここで、クレードルについて簡単に説明しておく。クレードルは、携帯電話端末装置１の卓上設置台であるとともに携帯電話端末装置１を充電するための設備であり、自身はＡＣアダプタ（図示せず）を介してＡＣ電源（図示せず）と接続されている。クレードルは、その上に携帯電話端末装置１を置けるように構成されており、携帯電話端末装置１が置かれると、該携帯電話端末装置１に対して直流電力の供給を開始する。なお、図２には、携帯電話端末装置１をクレードル２の上に置いた状態が示されている。
【００３７】
大容量メモリ２７は、画像データや音声データを含む種々のデータを記憶するものであり、例えば、主カメラ１５で撮影された画像データ等を記憶する。大容量メモリ２７として、例えば、ＳＤ(Secure Digital)カードなど取り外し可能な構成の記憶装置を用いることが好適である。なお、大容量メモリ２７は、ディレクトリ構造によりデータを記憶している。
【００３８】
メモリ２８は、携帯電話端末装置１の処理に必要な種々のデータを記憶するものである。具体的には、図１に示すように、番号プリセット、電話帳、メッセージプリセット、住所データ、メール履歴、電話履歴、位置情報、行動履歴を記憶している。以下、それぞれについて説明する。
【００３９】
番号プリセットは、予めメモリ２８に登録されている電話番号及びその付属情報（名前等）である。電話帳は、ユーザによって入力され、メモリ２８に記憶された電話番号及びその付属情報（名前等）である。メッセージプリセットは、予めメモリ２８に記憶された音声データ及び文字データである。住所データは、ユーザによって入力され、メモリ２８に記憶されたものであり、電話帳の一部を構成する。メール履歴は、電子メールやショートメッセージの送受信履歴である。電話履歴は、電話の発着信履歴である。位置情報は、当該携帯電話端末装置１の現在位置を示す情報であり、ＧＰＳ機能部１９、ＲＦＩＤリーダー２３から入力される。行動履歴は、位置情報の履歴である。
【００４０】
インジケータ２９は、電池２５の残量に応じて伸縮するインジケータ画像を表示する。また、Ｉｒ受信部３０とＩｒ送信部３１は、それぞれ赤外線通信の受信装置と送信装置である。近距離通信部３２は、例えばＢｌｕｅｔｏｏｔｈやＷＰＡＮ（Wireless Personal Area Network）などの近距離通信手段である。
【００４１】
以下、以上のような携帯電話端末装置１を用いて実現される本発明の４つの実施形態について、順次説明していく。
【００４２】
［第１実施形態］
図３は、本発明の第１実施形態にかかる携帯電話端末装置１ａの機能ブロックを示す概略ブロック図である。同図には、携帯電話端末装置１ａの機能ブロックのうち、第１実施形態に直接関係する部分のみを示している。また、同図において、点線はデータの流れを示している。
【００４３】
図３に示すように、携帯電話端末装置１ａは、図１に示した各構成に加え、スイッチ部３３を具備して構成される。また、主制御部１０は、機能部として検出部１００及び処理部１０１を具備して構成される。通信制御部１１は、機能部として発信者情報取得部１１０及び自動着信処理部１１１を具備して構成される。メモリ２８は、機能部として特定機能処理情報記憶部２８０及び発信者情報記憶部２８１を具備して構成される。
【００４４】
初めに、特定機能について説明しておく。特定機能は、携帯電話端末装置１ａの有する各種機能のうち、その機能にかかる処理を示す特定機能処理情報が、ユーザによって後述する特定機能処理情報記憶部２８０に書き込まれているものである。各種機能を例示すると、自動着信機能、留守番電話機能、ドライブモード機能などが挙げられる。自動着信機能にかかる処理には自動着信モードの設定処理及び解除処理があり、留守番電話機能にかかる処理には留守電機能の開始処理又は終了処理があり、ドライブモード機能にかかる処理にはドライブモードの設定処理又は解除処理がある。
【００４５】
以下、図３に示した各機能部について説明する。スイッチ部３３は、当該携帯電話端末装置１ａが、本実施形態にかかるクレードル２ａに置かれた場合にオンとなり、置かれていない場合にオフとなるスイッチ手段である。
図４は、スイッチ部３３の機能を説明するための図である。図４（ａ）は、携帯電話端末装置１ａがクレードル２ａに置かれていない状態を上から見た図、図４（ｂ）は、携帯電話端末装置１ａがクレードル２ａに置かれた状態を上から見た図、図４（ｃ）は、図４（ａ）のＡ−Ａ’線断面の端面図、図４（ｄ）は、図４（ｂ）のＢ−Ｂ’線断面の端面図、をそれぞれ示している。
【００４６】
図４に示すように、クレードル２ａは突起物２００を備えている。スイッチ部３３は、携帯電話端末装置１ａ表面に設けられた凹部の底面に設けられる。この凹部は、当該携帯電話端末装置１ａがクレードル２ａに置かれたときに突起物２００と嵌合するように設けられており、スイッチ部３３は、突起物２００によって凹部底面が押されるとオンになり、凹部底面が押されていないときにはオフになるよう構成されている。
【００４７】
検出部１００は、クレードル２ａの状態変動を検出する検出手段として機能する。具体的には、スイッチ部３３のオン／オフ状態に基づき、クレードル２ａの状態に当該携帯電話端末装置１ａが置かれているか否かの状態の変動を検出する。また、検出部１００はクレードル２ａの状態変動を記憶するための変数である設備情報を保持しており、上記状態変動を検出した場合、設備情報の値を、検出した状態変動に対応する値に変更する。
なお、上記のように検出部１００がスイッチ部３３の機械的状態の変化（つまり、突起物２００によって押されているか否か）により状態変動を検出するだけでなく、当該携帯電話端末装置とクレードル２ａとを電気的に接続可能として於き、検出部１００が、外部設備であるクレードル２ａからの電気的信号の有無や信号内容、あるいはクレードル２ａからの電力供給の有無などを検出するようにしても良い。
【００４８】
本実施形態において用いる設備情報の具体的な値を示すと、クレードル２ａの状態が、当該携帯電話端末装置１ａが置かれた状態から置かれていない状態に変動した場合に対応する値が「０」であり、クレードル２ａの状態が、当該携帯電話端末装置１ａが置かれていない状態から置かれた状態に変動した場合に対応する値が「１」である。例えば、クレードル２ａの状態が、当該携帯電話端末装置１ａが置かれた状態から置かれていない状態に変動した場合、検出部１００はこの状態変動を検出し、設備情報の値を「０」とする。
【００４９】
処理部１０１は、検出部１００の検出結果に応じて、特定機能にかかる処理を実施する処理手段として機能する。ここで、この特定機能にかかる処理は、上述した当該携帯電話端末装置１ａが有する各種機能それぞれにかかる処理の中から予めユーザにより選択されているものである。以下、処理部１０１が行う処理の内容を決定するための処理について、具体的に説明する。
【００５０】
まず、特定機能処理情報記憶部２８０は、クレードル２ａの状態変動を示す設備情報と、この設備情報と関連付けて予めユーザにより選択されている特定機能にかかる処理を示す特定機能処理情報と、を対応付けて記憶している。例えば特定機能が自動着信機能である場合を例示すると、特定機能処理情報記憶部２８０は、設備情報「１」と自動着信モードの設定処理を示す特定機能処理情報、設備情報「０」と自動着信モードの解除処理を示す特定機能処理情報、をそれぞれ対応付けて記憶する。表１には、特定機能処理情報記憶部２８０の具体的な記憶内容の例を示している。
【００５１】
【表１】
2009200998.tif 000003
【００５２】
処理部１０１は、クレードル２ａの状態変動が検出部１００により検出された場合に、検出部１００から、検出された状態変動を示す設備情報（「０」又は「１」）を取得する。そして、取得した設備情報と対応付けて記憶される特定機能処理情報を特定機能処理情報記憶部２８０から読み出し、読み出した特定機能処理情報により示される処理を実施する。処理部１０１が行う処理の内容は、こうして決定される。
【００５３】
以下では、特定機能が自動着信である例を取り上げ、処理部１０１が行う処理の具体例について説明する。
まず、自動着信処理部１１１は、自動着信にかかる処理を行う自動着信処理手段である。具体的には、自動着信処理部１１１は自動着信モード又は手動着信モードのいずれかのモードで動作する。自動着信処理部１１１のモードは、外部から設定される。また、自動着信処理部１１１は、その内部にスピーカ選択処理部１１１６（出力制御手段、図示せず）と音量制御部１１１７（出力制御手段、図示せず）を備えている。自動着信モードに設定されているときには、自動着信処理部１１１は、着信があった場合、ユーザ操作に依らず着信処理を行い、発信者端末装置との間で通信を確立する。併せて、自動着信処理部１１１がマイク２１の感度を最高にするとともに、スピーカ選択処理部１１１６がハンズフリー通話用のスピーカ２２−１を有効にし、また音量制御部１１１７はスピーカ２２−１からの出力音量が比較的大きくなるように音声処理部２０に対して制御信号を送る。これにより利用者は、スピーカ２２−１に直接耳をあてなくても、出力される音声を離れた位置で聴くことができる。一方、手動着信モードに設定されているときには、自動着信処理部１１１は、着信があった場合、ユーザによる受話操作がなされるまで所定の着信通知処理（図示しないベルを鳴動させる処理）を行う。受話操作がなされると、着信処理を行い、発信者端末装置との間で通信を確立する。併せて、自動着信処理部１１１がマイク２１の感度を中程度の所定値にするとともに、スピーカ選択処理部１１１６が受話器用のスピーカ２２−２を有効にし、また音量制御部１１１７はスピーカ２２−２からの出力音量が比較的小さくなるように音声処理部２０に対して制御信号を送る。なお、実現方法の一例としては、音量制御部１１１７あるいは音声処理部２０が、自動着信モード用の音量値と手動着信モード用の音量値をそれぞれ設定値として予め有しており、これらの音量値を適宜選択的に切り替えて使用する。
これにより利用者は、スピーカ２２−２に耳を当てたときに適度な音量で出力された音声を聴くことができる。
【００５４】
つまり、スピーカ選択処理部１１１６は、自動着信モードが設定されているか否か（つまり手動着信モードが設定されているか）に応じて、受話音声を出力するための複数のスピーカからいずれかを選択的に有効にする。このとき、スピーカ選択処理部１１１６は、音声処理部２０に対して適宜制御信号を送ることにより、スピーカ２２−１あるいはスピーカ２２−２のいずれかを有効にする制御を行う。なお、ここでは、スピーカ選択処理部１１１６が２つのスピーカから１つを選択的に有効にする例について述べたが、スピーカの数は３以上であっても良い。また、複数のスピーカのうちのいずれかが当該携帯端末装置の外部に存在するスピーカであって、スピーカ選択処理部１１１６が、自動着信モードが設定されているか否かに応じてその外部のスピーカを選択して有効にするようにしてもよい。この場合もスピーカ選択処理部１１１６からの制御信号に応じて、音声処理部２０は選択されたスピーカから受話音声を出力するようにする。
【００５５】
また、つまり、音量制御部１１１７は、自動着信モードが設定されているか否か（つまり手動着信モードが設定されているか）に応じて、受話音声を出力する音量を変化させる。
【００５６】
なお、本実施形態の変形例として、音声の出力を制御する手段として、スピーカ選択処理部１１１６あるいは音量制御部１１１７の、少なくともいずれか一方のみを備える構成としても良い。
なお、本実施形態のさらなる変形例として、自動着信モードであるか手動着信モードであるかに関わらず、いずれの場合にもスピーカ２２−２を使用して音声を出力するようにしても良い。この場合、スピーカ選択処理部１１１６は、常にスピーカ２２−２を有効にするような制御をする。そして、音量制御部１１１７は、自動着信モードの場合にはスピーカ２２−２からの出力音量が大きくなるように、そして手動着信モードの場合にはスピーカ２２−２からの出力音量が小さくなるように、音声処理部に対して制御信号を送る。これにより、スピーカ２２−２を自動着信モード（ハンズフリー）にも手動着信モードにも兼用させることができる。
【００５７】
処理部１０１は、クレードル２ａの状態が、当該携帯電話端末装置１ａが置かれた状態から置かれていない状態に変化したとき（設備情報「０」）、自動着信処理部１１１の自動着信モードを解除する。この場合、自動着信処理部１１１のモードは手動着信モードとなる。一方、クレードル２ａの状態が、当該携帯電話端末装置１ａが置かれていない状態から置かれた状態に変化したとき（設備情報「１」）、自動着信処理部１１１に自動着信モードを設定する。処理部１０１は、以上のようにして、特定機能の１つである自動着信機能にかかる処理を行う。
【００５８】
ところで、自動着信処理部１１１は、自動着信モードに設定されている場合であっても、発信者によっては自動着信処理を行わず、手動着信モードによる着信処理を行う。以下、この点について説明する。
【００５９】
まず、発信者情報記憶部２８１は、自動着信を許容する発信者情報を１又は複数記憶する発信者情報記憶手段として機能する。具体的には、発信者電話番号を記憶することとしてよい。なお、発信者情報記憶部２８１の記憶内容は、予めユーザによって設定される。
次に、発信者情報取得部１１０は、着信時に、発信者情報を取得する発信者情報取得手段として機能する。具体的には、携帯電話網の発信者番号通知サービスにより制御データの一部に含めて通知される電話番号を、上記発信者情報として取得する。
【００６０】
自動着信処理部１１１は、着信があると、まず発信者情報取得部１１０から発信者情報を取得する。さらに、取得した発信者情報が発信者情報記憶部２８１に記憶されているか否か、主制御部１０を介して発信者情報記憶部２８１にアクセスすることにより、判定する。その結果、発信者情報取得部１１０により取得された発信者情報が発信者情報記憶部２８１に記憶される発信者情報のいずれか１つと一致する場合に自動着信を行い、一致しない場合に自動着信を行わない。
【００６１】
以上説明したように、携帯電話端末装置１ａは、クレードル２ａの状態変動の検出結果に応じて特定機能にかかる処理（例えば自動着信モードの設定や解除）を行うことができる。従って、ユーザの状況に応じた特定機能の利用可否制御を実現できる。
なお、ここで、取得された発信者情報が発信者情報記憶部２８１に記憶される発信者情報のいずれか１つと一致する場合に自動着信を行い、一致しない場合に自動着信を行わない処理は、状態変動の検出結果に応じることを特に必要としないようにすることも可能である。つまり、状態変動の検出結果に関わらず、単に着信許容相手の電話番号と許容可否情報から、特定機能（ハンズフリー着信）しても良い。これにより、クレードルの状態変動が無い場合にも、着信許容相手の電話番号からの着信のみ、ハンズフリー着信等とすることが可能となる。
【００６２】
また、携帯電話端末装置１ａは、発信者によっても自動着信の利用有無を制御することができる。従って、この側面からも、ユーザの状況に応じた特定機能の利用可否制御を実現できる。
【００６３】
［第２実施形態］
第１実施形態にかかる携帯電話端末装置１ａは、携帯電話端末装置１ａ自身がクレードルの状態を検出するためのスイッチ手段（スイッチ部３３）を備えていたが、第２実施形態では、クレードル側にスイッチ手段を設ける。また、携帯電話端末装置１ａは、自身が設置されたクレードルによって異なる処理を行う。以下、具体的に説明する。
【００６４】
図５は、本発明の第２実施形態にかかる携帯電話端末装置１ｂの機能ブロックを示す概略ブロック図である。同図には、携帯電話端末装置１ｂの機能ブロックのうち、第２実施形態に直接関係する部分のみを示している。また、同図において、点線はデータの流れを示している。
【００６５】
図５に示すように、携帯電話端末装置１ｂにおいて、主制御部１０は、機能部として検出部１００、処理部１０１、及び設備信号入力受付部１０２を具備して構成される。通信制御部１１は、機能部として発信者情報取得部１１０、自動着信処理部１１１、及び固有情報取得部１１２を具備して構成される。メモリ２８は、機能部として特定機能処理情報記憶部２８０、固有情報記憶部２８２、及び受信中固有情報記憶部２８３を具備して構成される。以下では、携帯電話端末装置１ａとの相違点を中心に説明する。
【００６６】
また、図６は、本実施形態にかかるクレードル２ｂのシステム構成を示す図である。同図に示すように、クレードル２は、制御部２０１、電源部２０２、携帯電話端末装置検出スイッチ２０３、スピーカ２０８、マイク２０９、端末接触端子２１０、自動着信モード手動切替スイッチ２１１、送信部２１２、固有情報記憶部２１３を構成要素として具備して構成される。
【００６７】
まず、クレードル２ｂの構成から説明する。図６に示すように、クレードル２ｂでは、制御部２０１以外の各構成要素が、いずれも制御部２０１に接続されている。制御部２０１は、各構成要素によって行われる処理の制御や、各構成要素に対する信号の入出力を行う。
【００６８】
電源部２０２は、ＡＣアダプタ（図示せず）を介してＡＣ電源（図示せず）と接続されており、ＡＣアダプタから直流の入力を受け付け、端末接触端子２１０に出力する。
端末接触端子２１０は携帯電話端末装置１ｂのクレードル接続部２６と接触しており、電源部２０２から入力された直流を携帯電話端末装置１ｂに供給する。こうして供給された直流により、携帯電話端末装置１ｂは充電される。
【００６９】
発光部２０７は、充電制御部２０４の制御に従って、赤色発光、緑色発光、又は滅光する。充電制御部２０４は、取得された携帯電話端末装置１ｂの端子間電圧が所定値以上である場合に、発光部２０７に緑色発光させる。また、取得された携帯電話端末装置１ｂの端子間電圧が所定値未満である場合に、発光部２０７に赤色発光させる。さらに、端末接触端子２１０が携帯電話端末装置１ｂと接触していない場合に、発光部２０７を滅光させる。
【００７０】
制御部２０１は、マイク２０９が採取した周囲音を取得し、ノイズを除去した上で、端末接触端子２１０を介し、携帯電話端末装置１ｂに対して送信する。携帯電話端末装置１ｂは、ユーザの選択により、こうして受信される音声信号をマイク２１により取得される音声信号に代えて音声処理部２０に出力する。
【００７１】
また、携帯電話端末装置１ｂの音声処理部２０は、当該携帯電話端末装置１ｂがクレードル２ｂに置かれているとき、ユーザの選択により、メモリ２８や大容量メモリ２７が記憶している音声データや無線部１２を介して他の電話から受信される音声データを、スピーカ２２−１及びスピーカ２２−２ではなく、端末接触端子２１０を介してクレードル２の制御部２０１に送信する。制御部２０１は、こうして受信される音声データを、スピーカ２０８から出力する。
【００７２】
携帯電話端末装置検出スイッチ２０３は、携帯電話端末装置１ｂが当該クレードル２ｂに設置されていることを検出する検出手段として機能する。
図７は、携帯電話端末装置検出スイッチ２０３の機能を説明するための図である。図７（ａ）は、携帯電話端末装置１ｂがクレードル２ｂに置かれていない状態を上から見た図、図７（ｂ）は、携帯電話端末装置１ｂがクレードル２ｂに置かれた状態を上から見た図、図７（ｃ）は、図７（ａ）のＣ−Ｃ’線断面の端面図、図７（ｄ）は、図７（ｂ）のＤ−Ｄ’線断面の端面図、をそれぞれ示している。
【００７３】
図７に示すように、携帯電話端末装置検出スイッチ２０３は、クレードル２ｂの携帯電話端末装置１ｂ設置面から突出して設けられており、携帯電話端末装置１ｂが設置されるとクレードル２ｂ内部に押し込まれるように構成されている。携帯電話端末装置検出スイッチ２０３は、押し込まれているときにオンになり、押し込まれていないときにオフとなるよう構成されている。そして、携帯電話端末装置検出スイッチ２０３は、自身がオンとなっているときに、携帯電話端末装置１ｂが当該クレードル２ｂに設置されていることを検出する。
【００７４】
固有情報記憶部２１３は、当該クレードル２ｂの固有情報を記憶する固有情報記憶手段として機能する。この固有情報は、クレードル２ｂや他の電化製品（洗濯機、ガスコンロ、トイレドアセンサ等）等、通信機能を備えている機器の間で一意に決定されているものであり、一例では、工場出荷時に各機器に書き込まれる。具体的な例を挙げると、ＭＡＣアドレスをこの固有情報として用いることができる。なお、固有情報記憶部２１３を書き換え可能に構成してもよく、その場合には、ユーザや携帯電話端末装置１ｂから設定されるものであるとしてもよい。
【００７５】
送信部２１２は赤外線通信などの近距離通信手段であり、当該クレードル２ｂに設置されている携帯電話端末装置１ｂの近距離通信部３２に対してデータ送信可能に構成されている。
【００７６】
制御部２０１は、携帯電話端末装置検出スイッチ２０３により携帯電話端末装置１ｂが当該クレードル２ｂに設置されていることが検出されているとき、定期的に、送信部２１２に、固有情報記憶部２１３に記憶される固有情報を送信させる。送信部２１２は、制御部２０１の指示に従い、固有情報記憶部２１３に記憶される固有情報を読み出し、読み出した固有情報を含む所定信号（以下、設備信号という。）を、当該クレードル２ｂに設置されている携帯電話端末装置１ｂに対して送信する。これにより、送信部２１２は、携帯電話端末装置検出スイッチ２０３の検出結果に応じて、当該クレードル２に設置されている携帯電話端末装置１ｂに対し、設備信号を送信する送信手段として機能する。
【００７７】
自動着信モード手動切替スイッチ２１１は、ユーザによる自動着信可否の切り替えを受け付けるためのスイッチ手段である。
図８は、自動着信モード手動切替スイッチ２１１の機能を説明するための図である。図８（ａ）及び（ｂ）は、携帯電話端末装置１ｂがクレードル２ｂに置かれている状態を正面から見た斜視図である。また、図８（ｃ）及び（ｄ）は、クレードル２ｂのみを上から見た平面図である。各図に示すように、自動着信モード手動切替スイッチ２１１は、クレードル２ｂの正面に設置されるタブを含み、ユーザ操作により左右に移動可能に構成される。そして、例えばタブが右側に位置しているとき（図８（ａ）及び（ｃ））にはオンとなり、タブが左側に位置しているとき（図８（ｂ）及び（ｄ））にはオフとなるよう構成されている。
【００７８】
また、図９は、別のタイプのクレードル２ｂにおける自動着信モード手動切替スイッチ２１１の例を示す図である。図９は、クレードル２ｂのみを上から見た平面図である。同図の例でも、自動着信モード手動切替スイッチ２１１は、図８同様タブを含み、ユーザ操作により左右に移動可能に構成される。そのオン／オフも上記と同様である。
【００７９】
送信部２１２は、自動着信モード手動切替スイッチ２１１の状態に応じて、上記信号を送信する。すなわち、制御部２０１は、自動着信モード手動切替スイッチ２１１がオンになっているときに上記設備信号の送信を送信部２１２に対して指示し、自動着信モード手動切替スイッチ２１１がオフになっているときには指示しない。その結果、送信部２１２は、自動着信モード手動切替スイッチ２１１がオンになっているときのみ、上記設備信号を送信する。
【００８０】
次に、携帯電話端末装置１ｂの構成について説明する。
まず、固有情報記憶部２８２は、１又は複数のクレードルそれぞれの固有情報を記憶する固有情報記憶手段として機能する。また、固有情報記憶部２８２は、各固有情報それぞれと関連付けて、自動着信を許容する発信者情報を１又は複数記憶する。なお、固有情報記憶部２８２の記憶内容は、予めユーザによって設定されるものである。この点の詳細については後述する。
【００８１】
設備信号入力受付部１０２は、近距離通信部３２を介して、クレードル２ｂから上記設備信号の入力を受け付ける。これにより、設備信号入力受付部１０２は所定信号入力受付手段として機能する。しかしながら、設備信号入力受付部１０２は全ての設備信号の入力を受け付けるわけではなく、受信された設備信号に固有情報記憶部２８２に記憶される固有情報が含まれるか否かを判定し、判定結果に応じて該設備信号の入力を受け付ける。すなわち、固有情報記憶部２８２に記憶される固有情報が含まれている設備信号のみを受け付け、そうでないものは受け付けない。
【００８２】
なお、上述したように、クレードル２ｂは、携帯電話端末装置１ｂが置かれている間、上記設備信号を定期的に送信している。設備信号入力受付部１０２は、この送信によって定期的に受信され、順次受け付けている設備信号のうち、最新の設備信号に含まれる固有情報を受信中固有情報記憶部２８３に記憶させる。
【００８３】
検出部１００は、設備信号入力受付部１０２による上記設備信号の受け付けの有無に基づき、クレードル２ｂの状態の、当該携帯電話端末装置１ｂが置かれた状態と置かれていない状態の間での変動を検出する。すなわち、検出部１００は、設備信号入力受付部１０２により上記設備信号が定期的に受け付けられている間は、クレードル２ｂの状態は、当該携帯電話端末装置１ｂが置かれた状態であると判定する。一方、検出部１００は、設備信号入力受付部１０２により上記設備信号が所定時間以上にわたり受け付けられていないとき、クレードル２ｂの状態は、当該携帯電話端末装置１ｂが置かれていない状態であると判定する。
【００８４】
検出部１００は、第１実施形態で説明したように、設備情報の値を、検出した状態変動に対応する値に変更する処理を行うが、本実施形態では、この設備情報は固有情報ごとに設けられる。検出部１００は、受け付けられた設備信号の中に含まれる固有情報を取得し、該固有情報についての設備情報の値を、検出した状態変動に対応する値に変更する。
【００８５】
特定機能処理情報記憶部２８０は、固有情報ごとに、クレードル２ｂの状態変動を示す設備情報と、この設備情報と関連付けて予めユーザにより選択されている特定機能にかかる処理を示す特定機能処理情報と、を対応付けて記憶する。特定機能処理情報記憶部２８０の記憶内容も、予めユーザによって設定されるものであり、この点の詳細については後述する。表２には、特定機能処理情報記憶部２８０の具体的な記憶内容の例を示している。
【００８６】
【表２】
2009200998.tif 000004
【００８７】
処理部１０１は、クレードル２ｂの状態変動が検出部１００により検出された場合に、検出部１００から、該クレードル２ｂの固有情報と、検出された状態変動を示す設備情報（「０」又は「１」）と、を取得する。そして、取得した固有情報について、取得した設備情報と対応付けて記憶される特定機能処理情報を特定機能処理情報記憶部２８０から読み出し、読み出した特定機能処理情報により示される処理を実施する。処理部１０１が実施する処理の具体的内容は、第１実施形態で説明したものと同様である。
【００８８】
次に、固有情報取得部１１２は、当該携帯電話端末装置１ｂが置かれているクレードル２ｂの固有情報を取得する固有情報取得手段として機能する。具体的には、主制御部１０を介して受信中固有情報記憶部２８３にアクセスし、そこに記憶される固有情報を取得する。
【００８９】
自動着信処理部１１１は、着信があると、まず発信者情報取得部１１０から発信者情報を取得する。また、固有情報取得部１１２に固有情報を取得させ、取得された固有情報を当該自動着信処理部１１１に出力させる。さらに、取得した発信者情報が、入力された固有情報と関連付けて発信者情報記憶部２８１に記憶されているか否か、主制御部１０を介して固有情報記憶部２８２にアクセスすることにより、判定する。その結果、発信者情報取得部１１０により取得された発信者情報が、固有情報取得部１１２により取得される固有情報と関連付けて固有情報記憶部２８２に記憶される発信者情報のうちの１つと一致する場合に自動着信を行い、一致しない場合に自動着信を行わない。
【００９０】
以上説明した携帯電話端末装置１ｂの処理を、その処理フローを参照しながら、再度より詳細に説明する。
図１０は、携帯電話端末装置１ｂの処理のうち、特定機能処理情報記憶部２８０及び固有情報記憶部２８２の記憶内容のユーザによる設定を受け付ける際の処理の処理フローを示す図である。同図に示すように、携帯電話端末装置１ｂは、まず固有情報の入力又は選択を受け付ける（ステップＳ１）。
【００９１】
図１１（ａ）（ｂ）は、ステップＳ１において主制御部１０が主表示部１６に表示する画面の例である。これらの画面は、主制御部１０が、固有情報を有する機器を自動検索するために用いられるものである。
【００９２】
まず、図１１（ａ）に示す画面は、固有情報を有する機器を検索するために用いる通信手段をユーザに選択させるための画面である。この例では、ユーザに、Ｂｌｕｅｔｏｏｔｈ、赤外線通信（ＩｒＳＳ／ＩｒＤＡ）、ＺｉＧＢｅｅ（家電向けの短距離無線通信規格）のうちのいずれかを選択させる。また、ユーザによるＩＰアドレスの入力も受け付ける。この場合、主制御部１０は、入力されたＩＰアドレスを有する機器を検索する。
【００９３】
次に、図１１（ｂ）に示す画面は、図１１（ａ）に示す画面で選択された通信手段により検索した結果をユーザに提示するための画面である。同図の例では、３つのクレードルと、洗濯機と、トイレドア（センサー）と、が検索されており、主制御部１０は、それぞれの横にその固有情報を記載している。なお、本実施形態においては、主制御部１０は、クレードルのみを選択可能とする。
【００９４】
図１１（ｂ）の画面においていずれかのクレードルが選択されると、主制御部１０は次に、発信者情報の入力を受け付ける（ステップＳ２）。図１１（ｃ）は、ユーザにこの入力をさせるための画面である。同図の例は図１１（ｂ）の画面において「台所のクレードル」が選択された例であり、主制御部１０は、アドレス帳に記憶される発信者情報の一覧を表示している（ただし、実際に表示しているのは発信者情報に対応する氏名である。）。この画面において、ユーザは、発信者情報の選択又は新たな発信者情報の入力を行う。
【００９５】
図１１（ｃ）の画面において発信者情報の選択又は新たな発信者情報の入力がなされると、主制御部１０は次に、実施する特定機能の選択を受け付ける（ステップＳ３）。図１１（ｄ）は、ユーザにこの選択をさせるための画面である。同図の例は図１１（ｃ）の画面において「ダイスケ」が選択された例であり、主制御部１０は、選択可能な機能の一覧を表示している。なお、この例では、「自動着信」「留守番機能」「ドライブモード」「ガスコンロリモコン」「エアコンリモコン」「温度検出」が表示されているが、これらの表示はいずれも、表示されている特定機能を有効化（実施化）するということを意味している。具体的には、それぞれ「自動着信モードに設定すること」「留守番機能を開始すること」「ドライブモードに設定すること」「ガスコンロリモコン機能を開始すること」「エアコンリモコンを開始すること」「温度検出機能を開始すること」を意味している。なお、「ガスコンロリモコン」「エアコンリモコン」は、携帯電話端末装置１ｂが「ガスコンロ」や「エアコン」のリモコンとして動作する機能を備えていることを意味している。また、「温度検出」は、携帯電話端末装置１ｂが気温を測る温度計としての機能を備えていることを意味している。
【００９６】
図１１（ｄ）の画面において実施機能が選択されると、主制御部１０は、特定機能処理情報記憶部２８０に、選択されたクレードル２ｂの固有情報について、上記設備情報と、選択された特定機能（例えば「自動着信機能」）にかかる処理を示す特定機能処理情報と、を対応付けて記憶させる（表２）。なお、このとき、主制御部１０は、設備情報「０」と特定機能の無効化にかかる処理を示す特定機能処理情報を、設備情報「１」と特定機能の有効化にかかる処理を示す特定機能処理情報を、それぞれ対応付ける。
【００９７】
さらに、主制御部１０は、固有情報記憶部２８２に、選択されたクレードル２ｂの固有情報を記憶させるとともに、該固有情報と関連付けて、選択された発信者情報を記憶させる。
【００９８】
次に、図１２は、携帯電話端末装置１ｂの処理のうち、自動着信モード設定解除にかかる処理の処理フローを示す図である。同図に示すように、設備信号入力受付部１０２は、所定時間間隔で、クレードル２ｂから上記設備信号の受信を待ち受ける（ステップＳ１１）。そして、設備信号が予定通り受信されたか否かを判定し（ステップＳ１２）、受信されていると判定した場合には、受信された設備信号に含まれる固有情報が固有情報記憶部２８２に記憶される固有情報であるか否かを判定する（ステップＳ１３）。肯定的な判定結果を得た場合、設備信号入力受付部１０２は、受信中固有情報記憶部２８３に、受信された固有情報を記憶させる（ステップＳ１４）。そして、検出部１００及び処理部１０１は、自動着信モード設定のための処理を行う（ステップＳ１５）。
【００９９】
一方、ステップＳ１２及びステップＳ１３で否定的な判定結果を得た場合、設備信号入力受付部１０２は、受信中固有情報記憶部２８３に固有情報が記憶されている場合、その固有情報を削除する（ステップＳ１６）。そして、検出部１００及び処理部１０１は、自動着信モード解除のための処理を行う（ステップＳ１７）。
【０１００】
次に、図１３は、携帯電話端末装置１ｂの処理のうち、着信処理の処理フローを示す図である。なお、この例では、自動着信処理部１１１が自動着信モードに設定されている場合を取り上げる。
【０１０１】
図１３に示すように、着信がある（ステップＳ２１）と、発信者情報取得部１１０がまず発信者情報を取得する（ステップＳ２２）。そして、自動着信処理部１１１は、ステップＳ２２において取得された発信者情報が、受信中固有情報記憶部２８３に記憶される固有情報と関連付けて固有情報記憶部２８２に記憶されているか否かを判定する。その結果、肯定的な判定結果を得た場合、自動着信処理部１１１は自動着信モードで着信処理を行う。一方、否定的な判定結果を得た場合、自動着信処理部１１１は手動着信モードで着信処理を行う。
【０１０２】
以上説明したように、携帯電話端末装置１ｂは、クレードル２ｂの状態変動の検出結果に応じて特定機能にかかる処理（例えば自動着信モードの設定や解除）を行うことができる。また、携帯電話端末装置１ｂは、特定のクレードル２ｂに設置されているときにのみ、特定機能にかかる処理を行うようにすることができる。また、クレードル２ｂによって異なる処理を行うことも可能である。
【０１０３】
また、クレードル２ｂの自動着信モード手動切替スイッチ２１１をオフにすることによって、携帯電話端末装置１ｂにおいて自動着信が行われないようにすることができる。
さらに、発信者によって自動着信の実施有無を制御することも可能になっている。
【０１０４】
なお、本実施形態では、クレードル２ｂから携帯電話端末装置１ｂへの設備信号送信に近距離通信手段を用いたが、例えば端末接触端子２１０経由で優先通信により送信することとしてもよい。この場合、設備信号は、携帯電話端末装置１ｂがクレードル２ｂ上に置かれないと送信され得ず、設備信号を送信できていること自体が、携帯電話端末装置１ｂがクレードル２ｂ上に置かれていることの検出になるので、携帯電話端末装置検出スイッチ２０３を含まない構成とすることも可能である。
【０１０５】
また、クレードル２ｂを携帯電話端末装置１ｂ以外の他の装置（例えばパソコン）とも通信可能に構成してもよい。そして、その他の装置から、クレードル２ｂ経由で、携帯電話端末装置１ｂの着信モードを切替可能に構成してもよい。具体的には、クレードル２ｂが、上記設備信号の送信を他の装置からの制御に応じて行うことで、実現できる。
【０１０６】
また、特定機能処理情報記憶部２８０において、固有情報及び発信者情報ごとに、上記設備情報と、選択された特定機能（例えば「自動着信機能」）にかかる処理と、を対応付けて記憶させることとしてもよい。こうすれば、携帯電話端末装置１ｂは、固有情報ごとだけでなく、発信者ごとにも異なる処理を行うことができるようになる。
【０１０７】
［第３実施形態］
第２実施形態では、設備としてクレードルのみを対象にして説明したが、実際には、図１１でも示したような各種の設備（洗濯機、トイレドア、ガスコンロ等）を本発明にかかる設備として利用できる。本実施形態では、このような場合にも対応可能な携帯電話端末装置１ｃについて説明する。なお、携帯電話端末装置１ｃの機能ブロック図は、携帯電話端末装置１ｂと同様である。以下では、携帯電話端末装置１ａ及び携帯電話端末装置１ｂとの相違点を中心に説明する。
【０１０８】
固有情報記憶部２１３は、クレードルだけでなく、その他の各設備の状態を検出する各機器（トイレドアセンサ等）にかかる固有情報も記憶する。また、固有情報ごとに、クレードルのものか、クレードル以外のものか、を示すクレードル情報（１ビットの情報）も併せて記憶する。
【０１０９】
検出部１００は、設備信号入力受付部１０２による上記設備信号の受け付けの有無に基づき、クレードル又はクレードル以外の設備の状態変動を検出する。なお、検出部１００は、状態変動が検出された設備がクレードルであるか否かを、固有情報記憶部２１３に記憶されるクレードル情報を参照することにより判定する。
【０１１０】
検出部１００がクレードルの状態変動を検出した場合の各部の処理は、第１実施形態及び第２実施形態で説明した通りである。
【０１１１】
以下、検出部１００がクレードル以外の設備の状態変動を検出した場合の処理について説明する。
まず、クレードル以外の設備の状態変動については、上述した設備情報を用いない。特定機能処理情報記憶部２８０は、クレードル以外の設備についての固有情報ごとに、特定機能にかかる処理を示す特定機能処理情報と、を対応付けて記憶する。表３には、特定機能処理情報記憶部２８０の具体的な記憶内容の例を示している。同表にも示すように、クレードル以外の設備についての特定機能にかかる処理は、特定機能を一時的に無効化（解除又は終了）する処理である。
【０１１２】
【表３】
2009200998.tif 000005
【０１１３】
処理部１０１は、クレードル以外の設備の状態変動が検出部１００により検出された場合に、検出部１００から、該設備の固有情報を取得する。そして、取得した固有情報について記憶される特定機能処理情報を特定機能処理情報記憶部２８０から読み出し、読み出した特定機能処理情報により示される処理を実施する。
【０１１４】
一例を挙げると、処理部１０１は、検出部１００によりクレードル以外の設備の状態変動が検出された場合（すなわち、設備信号入力受付部１０２によりクレードル以外の設備にかかる設備信号が受け付けられた場合）に、自動着信処理部１１１の自動着信モードを一時的に解除する。そして、所定時間後に、自動着信モードの設定を行う。これにより、クレードル以外の状態変動が検出された場合に、自動着信モードが一時的に解除されることになる。
【０１１５】
他の具体的な例を挙げて説明しておく。１つの例では、トイレドアが上記設備である。トイレドアにはドアの開閉を検出するトイレドアセンサが設置されており、このトイレドアセンサは、トイレドアが開けられると、上記設備信号を送信する。これにより、トイレドアが開けられた後、一時的に、自動着信モードが解除されることになる。
【０１１６】
また、別の例では、ガスコンロが上記設備である。ガスコンロには点火されたことを検出するセンサーが取り付けられており、このセンサーは、ガスコンロが点火されると、上記設備信号を送信する。これにより、ガスコンロが点火された後、一時的に、自動着信モードが解除されることになる。
【０１１７】
以上説明した携帯電話端末装置１ｃの処理を、その処理フローを参照しながら、再度より詳細に説明する。
図１４は、携帯電話端末装置１ｃの処理のうち、自動着信モード一時解除にかかる処理の処理フローを示す図である。同図に示すように、設備信号入力受付部１０２は、各設備から上記設備信号の受信を待ち受ける（ステップＳ３１）。そして、検出部１００は、設備信号が受信されると、その設備信号に含まれる固有情報が、固有情報記憶部２８２においてクレードル以外の固有情報として記憶されているものであるか否かを判定する（ステップＳ３２）。否定的な判定結果が得られた場合、検出部１００は、処理を図１２に示したような自動着信モード設定解除処理に移行させる。一方、肯定的な判定結果が得られた場合、処理部１０１は、自動着信モードを一時解除し（ステップＳ３３）、所定時間が経過するまで待機する（ステップＳ３４）。所定時間が経過したら、自動着信モードの一時解除を終了する（ステップＳ３５）。
以上説明したように、本実施形態によれば、クレードル以外の設備にも対応可能な携帯電話端末装置１ｃを提供することができる。
【０１１８】
［第４実施形態］
本実施形態では、自動着信を行う際、発信側の了解を得ることのできる携帯電話端末装置１ｄについて説明する。
【０１１９】
図１５は、携帯電話端末装置１ｄの機能ブロックを示す図である。同図には、携帯電話端末装置１ｄの機能ブロックのうち、第４実施形態に直接関係する部分のみを示している。また、同図において、点線はデータの流れを示している。
【０１２０】
図１５に示すように、携帯電話端末装置１ｄは、携帯電話端末装置１ａにおいて、自動着信処理部１１１の内部に、自動着信実施通知情報送信部１１１０、自動着信許否情報受信部１１１１、自動着信実施制御部１１１２を具備したものである。以下では、これらの追加構成について説明する。
【０１２１】
まず、自動着信実施通知情報送信部１１１０は、自動着信モードにおいて自動着信を行おうとする場合（自動着信モードに設定されている場合）に、発信者電話に対して当該携帯電話端末装置１ｄにおいて自動着信が行われる旨を示す自動着信実施確認情報を送信する自動着信実施確認情報送信手段として機能する。なお、自動着信実施通知情報送信部１１１０は、着信処理の際に発信者に対して送信する制御信号のひとつとして自動着信実施確認情報を送信することとしてもよいし、メールにより自動着信実施確認情報を送信することとしてもよい。
【０１２２】
発信者電話は、上記自動着信実施確認情報を受信すると、自動着信を許容するか否かをユーザに対して問い合わせる。例えば、この問い合わせを行うための画面表示を行い、ユーザに自動着信を許容するか否かを選択させる。発信者電話は、ユーザによる回答を取得すると、その回答を示す自動着信許否情報を返信する。
【０１２３】
自動着信許否情報受信部１１１１は、発信者電話から、自動着信を許容するか否かを示す自動着信許否情報を受信する自動着信許否情報受信手段として機能する。そして、自動着信実施制御部１１１２は、自動着信許否情報受信部１１１１により受信された自動着信許否情報に応じて、自動着信の実施制御を行う自動着信実施制御手段として機能する。
【０１２４】
具体的には、自動着信許否情報受信部１１１１により受信された自動着信許否情報が、自動着信を許容することを示している場合、自動着信実施制御部１１１２は自動着信処理を行う。一方、自動着信許否情報受信部１１１１により受信された自動着信許否情報が、自動着信を許容しないことを示している場合、自動着信実施制御部１１１２は自動着信処理を行わず、手動による着信処理を行う。
【０１２５】
以上説明した携帯電話端末装置１ｄ及び発信者電話の処理を、その処理フローを参照しながら、再度より詳細に説明する。
図１６は、携帯電話端末装置１ｄの処理フローを示す図である。同図に示すように、自動着信処理部１１１は、まず、着信を検出する（ステップＳ４１）。そして、着信した場合、自動着信モードが設定されているか否かを判定する（ステップＳ４２）。設定されていないと判定した場合には、自動着信処理部１１１は、手動着信モードでの着信処理を行う（ステップＳ４９）。一方、設定されていると判定した場合には、自動着信処理部１１１は、発信者情報取得部１１０により取得されている発信者情報を取得する（ステップＳ４３）。
【０１２６】
次に、自動着信処理部１１１は、取得された発信者情報が発信者情報記憶部２８１に記憶されているか否かを判定し、記憶されていなければ手動着信モードでの着信処理を行う（ステップＳ４９）。記憶されていれば、自動着信実施通知情報送信部１１１０が、自動着信実施通知情報を発信者電話に対して送信する（ステップＳ４５）。
【０１２７】
そして、自動着信許否情報受信部１１１１によって発信者電話から自動着信許否情報が受信される（ステップＳ４６）と、自動着信実施制御部１１１２は、受信された自動着信許否情報に基づき、自動着信が許容されたか否かを判定する（ステップＳ４７）。その結果、自動着信が許容されたと判定した場合、自動着信実施制御部１１１２は、自動着信モードでの着信処理を行う（ステップＳ４８）。一方、自動着信が許容されなかったと判定した場合、自動着信実施制御部１１１２は、手動着信モードでの着信処理を行う（ステップＳ４９）。
この場合も、前述した実施形態の場合と同様に、自動着信処理部１１１はその内部にスピーカ選択処理部１１１６（出力制御手段、図示せず）と音量制御部１１１７（出力制御手段、図示せず）を備えている。そして、自動着信モードに設定されているときには、着信があった場合、スピーカ選択処理部１１１６がハンズフリー通話用のスピーカ２２−１を有効にし、また音量制御部１１１７はハンズフリー通話用のスピーカからの出力音量が比較的大きくなるように音声処理部２０に対して制御信号を送る。一方、手動着信モードに設定されているときには、着信があった場合、スピーカ選択処理部１１１６が受話器用のスピーカ２２−２を有効にし、また音量制御部１１１７はスピーカ２２−２からの出力音量が比較的小さくなるように音声処理部２０に対して制御信号を送る。つまり、スピーカ選択処理部１１１６は、自動着信モードが設定されているか否か（つまり手動着信モードが設定されているか）に応じて、受話音声を出力するための複数のスピーカからいずれかを選択的に有効にする。また、音量制御部１１１７は、自動着信モードが設定されているか否か（つまり手動着信モードが設定されているか）に応じて、受話音声を出力する音量を変化させる。なお、音量制御部１１１７による制御の詳細は、前述の実施形態のそれと同様である。
なお、本実施形態の変形例として、音声の出力を制御する手段として、スピーカ選択処理部１１１６あるいは音量制御部１１１７の、少なくともいずれか一方のみを備える構成としても良い。
【０１２８】
次に、図１７は、発信者電話の処理フローを示す図である。同図に示すように、発信者電話は、まず携帯電話端末装置１ｄに対して発信する（ステップＳ５１）。そして、自動着信実施通知情報が受信される（ステップＳ５２）と、ユーザに着信モードを選択させ（ステップＳ５３）、その結果、自動着信モードが選択された場合には自動着信を許容することを示す自動着信許否情報を、手動着信モードが選択された場合には自動着信を許容しないことを示す自動着信許否情報を、送信する。
以上説明したように、本実施形態によれば、自動着信を行う際、発信側の意志を、自動着信を行うか否かの判定に反映させることが可能となる。
【０１２９】
図１８は、上述した各実施形態における携帯電話端末装置の外観を示す概略図である。図示するように、この携帯電話端末装置はヒンジ機構により二つ折り可能な構造となっており、同図左側は二つ折りされた際に内側となる側を示し、同図右側は二つ折りされた際に外側となる側を示す。この携帯電話端末装置は、同図右側に示すように、メインカメラ５０１と、カメラ用のフラッシュ（発光装置）５０２と、サブ表示画面５０３と、テレビ受信用アンテナ５０４とを備えている。また、この携帯電話端末装置は、同図左側に示すように、メイン画面５１１と、サブカメラ５１２と、スピーカ５１３と、テンキー５１４（「＊」キーおよび「＃」キーを含む）と、カーソルキー５１５と、決定キー５１６と、その他のファンクションキー５１７と、マイク５１８とを備えている。
【０１３０】
以上本発明の実施の形態について説明したが、本発明はこうした実施の形態に何等限定されるものではなく、本発明は、その要旨を逸脱しない範囲において、種々なる態様で実施され得ることは勿論である。
【０１３１】
例えば、携帯電話端末装置１の各機能を実現するためのプログラムをコンピュータ読み取り可能な記録媒体に記録して、この記録媒体に記録されたプログラムをコンピュータシステムに読み込ませ、実行することにより、上記各処理を行ってもよい。
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【図面の簡単な説明】
【０１３２】
【図１】本発明の実施の形態にかかる携帯電話端末装置の全体のシステム構成を示す概略ブロック図である。
【図２】本発明の実施の形態にかかる携帯電話端末装置をクレードルの上に置いた状態を示す図である。
【図３】本発明の第１実施形態にかかる携帯電話端末装置の機能ブロックを示す概略ブロック図である。
【図４】本発明の第１実施形態にかかるスイッチ部の機能を説明するための図である。
【図５】本発明の第２実施形態にかかる携帯電話端末装置の機能ブロックを示す概略ブロック図である。
【図６】本発明の第２実施形態にかかるクレードルのシステム構成を示す図である。
【図７】本発明の第２実施形態にかかる携帯電話端末装置検出スイッチの機能を説明するための図である。
【図８】本発明の第２実施形態にかかる自動着信モード手動切替スイッチの機能を説明するための図である。
【図９】本発明の第２実施形態にかかる別のタイプのクレードルにおける自動着信モード手動切替スイッチの例を示す図である。
【図１０】本発明の第２実施形態にかかる携帯電話端末装置の処理のうち、特定機能処理情報記憶部及び固有情報記憶部の記憶内容のユーザによる設定を受け付ける際の処理の処理フローを示す図である。
【図１１】本発明の第２実施形態にかかる携帯電話端末装置の処理において、主制御部が主表示部に表示する画面の例である。
【図１２】本発明の第２実施形態にかかる携帯電話端末装置の処理のうち、自動着信モード設定解除にかかる処理の処理フローを示す図である。
【図１３】本発明の第２実施形態にかかる携帯電話端末装置の処理のうち、着信処理の処理フローを示す図である。
【図１４】本発明の第３実施形態にかかる携帯電話端末装置の処理のうち、自動着信モード一時解除にかかる処理の処理フローを示す図である。
【図１５】本発明の第４実施形態にかかる携帯電話端末装置の機能ブロックを示す図である。
【図１６】本発明の第４実施形態にかかる携帯電話端末装置の処理フローを示す図である。
【図１７】本発明に関する発信者側電話の処理フローを示す図である。
【図１８】本発明の各実施形態にかかる携帯電話端末装置の外観を示す概略図である。
【符号の説明】
【０１３３】
１，１ａ，１ｂ，１ｃ，１ｄ  携帯電話端末装置、
２，２ａ，２ｂ  クレードル（外部設備）、
１０  主制御部、
１１  通信制御部、
１２  無線部、
１３  プログラムメモリ、
１４  操作部、
１５  主カメラ、
１６  主表示部、
１７  副表示部、
１８  振動センサー、
１９  機能部、
２０  音声処理部、
２１，２０９  マイク、
２２−１，２２−２，２０８  スピーカ、
２３  ＲＦＩＤリーダー、
２４  電源制御部、
２５  電池、
２６  クレードル接続部、
２７  大容量メモリ、
２８  メモリ、
２９  インジケータ、
３０  Ｉｒ受信部、
３１  Ｉｒ送信部、
３２  近距離通信部、
３３  スイッチ部（スイッチ手段）、
１００  検出部（検出手段）、
１０１  処理部（処理手段）、
１０２  設備信号入力受付部（所定信号入力受付手段）、
１１０  発信者情報取得部（発信者情報取得手段）、
１１１  自動着信処理部（自動着信処理手段）、
１１２  固有情報取得部（固有情報取得手段）、
２００  突起物、
２０１  制御部、
２０２  電源部、
２０３  携帯電話端末装置検出スイッチ（検出手段）、
２０４  充電制御部、
２０５  整流部、
２０６  入力フィルタ部、
２０７  発光部、
２１０  端末接触端子、
２１１  自動着信モード手動切替スイッチ（スイッチ手段）、
２１２  送信部（送信手段）、
２１３  固有情報記憶部（固有情報記憶手段）、
２８０  特定機能処理情報記憶部（特定機能処理情報記憶手段）、
２８１  発信者情報記憶部（発信者情報記憶手段）、
２８２  固有情報記憶部（固有情報記憶手段）、
２８３  受信中固有情報記憶部、
１１１０  自動着信実施通知情報送信部（自動着信実施確認情報送信手段）、
１１１１  自動着信許否情報受信部（自動着信許否情報受信手段）、
１１１２  自動着信実施制御部（自動着信実施制御手段）、
１１１６  スピーカ選択処理部（出力制御手段）、
１１１７  音量制御部（出力制御手段）。
【図１】
2009200998.tif 000006
【図２】
2009200998.tif 000007
【図３】
2009200998.tif 000008
【図４】
2009200998.tif 000009
【図５】
2009200998.tif 000010
【図６】
2009200998.tif 000011
【図７】
2009200998.tif 000012
【図８】
2009200998.tif 000013
【図９】
2009200998.tif 000014
【図１０】
2009200998.tif 000015
【図１１】
2009200998.tif 000016
【図１２】
2009200998.tif 000017
【図１３】
2009200998.tif 000018
【図１４】
2009200998.tif 000019
【図１５】
2009200998.tif 000020
【図１６】
2009200998.tif 000021
【図１７】
2009200998.tif 000022
【図１８】
2009200998.tif 000023